(57)【特許請求の範囲】
【請求項１】
相互対向側端部の一方側において開口する板状部材差込み部が設けられて配線基板に配されるハウジングと、
各々が上記ハウジングの内部に配される接触部と上記相互対向側端部の他方側から上記ハウジングの外部に導出される接続部とを有して配列配置され、配線板状部材が上記板状部材差込み部を通じて上記ハウジングに差し込まれたとき、上記複数の接触部が上記ハウジングに差し込まれた配線板状部材における複数の接続端子部に夫々接触接続される複数のコンタクトと、
上記ハウジングを部分的に覆い、上記ハウジングに差し込まれた配線板状部材に係合して該配線板状部材に対する係止状態をとる係止部，該係止部の係止状態を解除すべく操作される係止解除部、及び、該係止解除部と上記係止部とを連結する連結部が一体的に形成された導電性シェルと、
を備えて成り、
上記係止解除部が、上記導電性シェルにおける上記板状部材差込み部を挟んで対向する上記ハウジングの相互対向平板状部の一方における一端部に対応する部分から、上記ハウジングの相互対向側端部の一方の外部へと伸び、上記連結部が、上記係止解除部から屈曲して上記複数のコンタクトの配列方向に直交する方向において上記ハウジングの相互対向平板状部の他方側へと伸び、上記係止部が、上記連結部から屈曲して上記ハウジングの外部から上記ハウジングの内部へと伸びる片持支持部分と該片持支持部分における上記ハウジングの内部に位置する端部に設けられた係合突起部分とを有し、上記係止解除部，連結部及び係止部が、全体として上記導電性シェルに設けられて上記ハウジングの相互対向側端部の一方の外方へと突出する折返し突出部を形成しており、
上記係止部及び上記係止解除部の夫々が弾性を有した可動部分を成していて、
上記係合突起部分が、上記板状部材差込み部を通じて上記ハウジングに差し込まれる配線板状部材における係合部に係合するものとされ、上記片持支持部分が、上記連結部との相互連結部分を揺動中心として揺動し得るものとされ、上記係止解除部が、上記係止部に向かう方向の押圧操作が加えられるとき、上記導電性シェルとの相互連結部分を揺動中心として揺動するものとされたことを特徴とするコネクタ装置。
【請求項２】
上記係止部が、上記係止解除部に押圧操作が加えられていないとき、上記片持支持部分を上記ハウジングに設けられた位置規制部に接触させて位置決めされ、上記係止解除部に押圧操作が加えられるとき、上記片持支持部分を上記ハウジングに設けられた当接部に当接させて、上記係合突起部分を上記導電性シェルにおける上記係止解除部との連結部分に近接する方向に移動させることを特徴とする請求項１記載のコネクタ装置。
【請求項３】
上記係止部が、上記片持支持部分を上記位置規制部に接触させて位置決めされるとき、上記係合突起部分を上記板状部材差込み部内に位置させ、上記片持支持部分を上記当接部に当接させて、上記係合突起部分を上記導電性シェルにおける上記係止解除部との連結部分に近接する方向に移動させるとき、該係合突起部分を上記板状部材差込み部内から退去させることを特徴とする請求項２記載のコネクタ装置。
【請求項４】
上記係止部，係止解除部及び連結部の組が、上記導電性シェルにおける上記ハウジングの相互対向平板状部の一方における他端部に対応する部分にも一体的に形成されたことを特徴とする請求項１記載のコネクタ装置。
【発明の詳細な説明】
【技術分野】
【０００１】
本願の特許請求の範囲に記載された発明は、フレキシブル印刷配線基板（ＦＰＣ）やフレキシブル平板状ケーブル（ＦＦＣ）等の配線板状部材に設けられた接続端子部を、他の配線基板等とされる他の電気部品に電気的に連結するため、配線基板等に取り付けられて配線板状部材が差し込まれるものとして用いられ、差し込まれた配線板状部材にその離脱を阻止すべく係合する係止手段及び差し込まれた配線板状部材における接続端子部に接触接続されるコンタクトを含んで構成されるコネクタ装置に関する。
【背景技術】
【０００２】
各種の電子機器に実装される比較的小型なフレキシブル印刷配線基板やフレキシブル平板状ケーブル等の配線板状部材は、各種の電気部品が取り付けられる主配線基板との電気的連結が、当該主配線基板に電気的接続がなされて固定されるコネクタ装置が用いられて行われることが多い。このような配線板状部材の主配線基板との電気的連結にあたって用いられるコネクタ装置は、配線板状部材に設けられた接続端子部に接触接続される導電性のコンタクトを有していて、そのコンタクトを介して、配線板状部材に設けられた接続端子部を主配線基板に設けられた配線部に電気的に連結する。
【０００３】
従来提案されている、例えば、フレキシブル印刷配線基板とされる配線板状部材の主配線基板との電気的連結に用いられるコネクタ装置は、配線板状部材が差し込まれる差込み部が設けられたものとされて主配線基板に配される、例えば、絶縁材料によって形成されたハウジングを有したものとされる。そして、例えば、ハウジングに配列配置されて設けられ、配線板状部材が差込み部を通じてハウジングに差し込まれるとき、その配線板状部材に設けられた複数の接続端子部に夫々対応するものとなる複数のコンタクトと、複数のコンタクトについての特性インピーダンス調整に貢献するものとして、さらには、外部からの電磁波ノイズ対策のため、即ち、外部からの電磁波ノイズに対するシールド効果を得るために、ハウジングを部分的もしくは全体的に覆うものとして配されて主配線基板に設けられた接地端子に連結される導電性シェルと、ハウジングに対して回動可能とされるとともに複数のコンタクトの夫々に係合して設けられ、回動せしめられるとき、複数のコンタクトに、複数の接続端子部に夫々接触接続された状態、あるいは、複数の接続端子部との接触接続から解放された状態をとらせるアクチュエータとを備えている。このようなもとで、複数のコンタクトが配線板状部材に設けられた複数の接続端子部に夫々接触接続された状態におかれることにより、配線板状部材が主配線基板との電気的連結状態におかれる。
【０００４】
さらに、従来提案されている配線板状部材の主配線基板との電気的接続に用いられるコネクタ装置の中には、上述のようなハウジングを有し、上述のような複数のコンタクト及び導電性シェルを備えてはいるが、ハウジングに対して回動可能に設けられるアクチュエータを備えていず、配線板状部材が差込み部を通じてハウジングに差し込まれるとき、自動的に、ハウジング内に設けられた複数のコンタクトが差し込まれた配線板状部材に設けられた複数の接続端子部に夫々接触接続されるものもある。斯かるものにあっては、配線板状部材が差込み部を通じてハウジングに適正に差し込まれるだけで、配線板状部材が主配線基板との電気的連結状態におかれる。
【０００５】
このような従来提案されているコネクタ装置にあっては、ハウジングに対して回動可能に設けられるアクチュエータを備えたもの及び斯かるアクチュエータを備えていないもののいずれの場合にも、例えば、フレキシブル印刷配線基板とされる配線板状部材が、主配線基板に配されたハウジングに差込み部を通じて差し込まれて、ハウジングに配された複数のコンタクトが、ハウジングに差し込まれた配線板状部材における複数の接続端子部に夫々接触接続され、それにより、配線板状部材が主配線基板との電気的連結状態におかれるにあたり、配線板状部材がハウジングから不所望に離脱するような事態が回避されなくてはならない。当然のことながら、ハウジングに配された複数のコンタクトがハウジングに差し込まれた配線板状部材における複数の接続端子部に夫々接触接続された状態が適正に維持されるためには、ハウジングに差込み部を通じて差し込まれた配線板状部材が、その状態を安定に維持することができ、ハウジングから不所望に抜脱されるような事態をまねかないものとされることが必要とされるのである。
【０００６】
そのため、前述のような、ハウジングを有し、複数のコンタクトと導電性シェルとハウジングに対して回動可能とされるアクチュエータとを備えたコネクタ装置に属するものであって、ハウジング内に差込み部を通じて差し込まれた配線板状部材に係合して、当該配線板状部材のハウジングからの不所望な抜脱を阻止する係止手段を備えたコネクタ装置が従来提案されている（例えば、特許文献１参照。）。また、前述のような、ハウジングを有し、複数のコンタクトと導電性シェルとを備えてはいるが、ハウジングに対して回動可能とされるアクチュエータを備えていないコネクタ装置に属するものであって、ハウジング内に差込み部を通じて差し込まれた配線板状部材に係合して、当該配線板状部材のハウジングからの不所望な抜脱を阻止する係止手段を備えたコネクタ装置も従来提案されている（例えば、特許文献２参照。）。
【０００７】
特許文献１に示されるコネクタ装置にあっては、導電性シェル（シールドプレート１１）の一部にシーソーのように変位することができる係止手段（ロック部１１ｃ）が形成されており、この係止手段には、導電性シェルの内側に向かって屈曲した係止端部（ロック爪１１ｄ）が設けられている。そして、係止手段は、ハウジング（ハウジング３）に対して回動可能とされたアクチュエータ（アクチュエータ９）の回動操作に応じて変位する。
【０００８】
このようなもとで、配線板状部材（ＦＰＣ２１）がハウジング内の受容空間（ＦＰＣ受容空間３４）に差し込まれた後に、アクチュエータの第１の方向への回動操作が行われると、ハウジング内に配された複数のコンタクト（第１コンタクト５，第２コンタクト６）が、アクチュエータに形成されたカム（カム部９２，９３）によって変位せしめられ、ハウジング内に差し込まれた配線板状部材における複数の接続端子部に夫々接触接続されるとともに、係止手段が、アクチュエータに形成されたカム（カム部９４）によって変位せしめられ、それに設けられた係止端部をハウジング内に差し込まれた配線板状部材に設けられた係合部（切欠２１ａ）に係合させる。それにより、ハウジング内に差し込まれた配線板状部材が、係止手段により係止されて、ハウジングからの不所望な抜脱が阻止される状態におかれる。
【０００９】
その後、係止手段に設けられた係止端部がハウジング内に差し込まれた配線板状部材に設けられた係合部に係合したもとで、アクチュエータの第１の方向とは逆の第２の方向への回動操作が行われると、アクチュエータに形成されたカム（カム部９４）が、係止手段に、それに設けられた係止端部の配線板状部材に設けられた係合部との係合を解除する状態をとることを許す。それにより、ハウジング内に差し込まれた配線板状部材が、ハウジングから抜脱され得る状態におかれる。
【００１０】
また、特許文献２に示されるコネクタ装置にあっては、ハウジング（ハウジング本体２）に、それに対して回動可能に設けられた導電性シェル（シェル４）が備えられている。そして、導電性シェルの一部に板ばね状の係止手段（足部４６）が形成されており、この係止手段の先端部に導電性シェルの内側に向かう係止突起（係止突起４４）が設けられている。
【００１１】
このようなハウジングに対して回動可能とされた導電性シェルが、その全体がハウジングに近接することになる、ハウジングに対して伏した位置をとるもとで、配線板状部材（ＦＰＣ）がハウジング内に差込み部（挿入口２１）を通じて差し込まれると、ハウジング内に配された複数のコンタクト（コンタクト３（上部コンタクト３１，下部コンタクト３２））が、ハウジング内に差し込まれた配線板状部材における複数の接続端子部に夫々接触接続されるとともに、係止手段に設けられた係止突起が、ハウジング内に差し込まれた配線板状部材に設けられた係合部（ＦＰＣ係止孔ＦＰＣ２）に係合する。それにより、ハウジング内に差し込まれた配線板状部材が、係止手段により係止されて、ハウジングからの不所望な抜脱が阻止される状態におかれる。
【００１２】
その後、係止手段に設けられた係止突起がハウジング内に差し込まれた配線板状部材に設けられた係合部に係合したもとで、ハウジングに対して回動可能とされた導電性シェルが、ハウジングに対して起き上がった位置をとるべく回動操作されると、導電性シェルに形成された係止手段も導電性シェルに伴って変位し、それに設けられた係止突起が配線板状部材に設けられた係合部との係合を解除する。それにより、ハウジング内に差し込まれた配線板状部材が、ハウジングから抜脱され得る状態におかれる。
【先行技術文献】
【特許文献】
【００１３】
【特許文献１】特開２００８−５２９９３号公報（段落００１６，００１７，００３３〜００４３、図１，５，６）
【特許文献２】特開２００８−１９２５７４号公報（段落００２６，００２７，００３１〜００３４，図１〜６）
【発明の概要】
【発明が解決しようとする課題】
【００１４】
上述のような、フレキシブル印刷配線基板等の配線板状部材の主配線基板との電気的連結に用いられるコネクタ装置であって、ハウジング内に差し込まれた配線板状部材のハウジングからの不所望な抜脱を阻止する係止手段を備えたものとして従来提案されているコネクタ装置にあっては、係止手段がハウジングに対して回動可能とされたアクチュエータの回動操作に応じて変位するものとされ、あるいは、ハウジングに対して回動可能とされた導電性シェルが備えられ、その導電性シェルの一部に係止手段が形成されている。
【００１５】
このような、係止手段がハウジングに対して回動可能とされたアクチュエータの回動操作に応じて変位するものとされた従来のコネクタ装置の場合には、係止手段とアクチュエータとを個別に形成された別部材として備えることが必要とされ、そのことが、コネクタ装置の全体の小型化に対する障害と構成部材数の増加とをまねき、製造コストを嵩ませる要因となる。それに加えて、係止手段に配線板状部材に対する係止状態あるいは係止解除状態をとらせるにあたっては、アクチュエータをハウジングに対して回動させる操作が不可欠とされ、斯かる操作を行うための不所望なスペースをコネクタ装置の周囲に設けることが必要とされる。
【００１６】
また、ハウジングに対して回動可能とされた導電性シェルが備えられ、その導電性シェルの一部に係止手段が形成された従来のコネクタ装置の場合には、導電性シェルがハウジングに対して回動可能とされるので、コネクタ装置の主配線基板への固定のために導電性シェルを利用することができず、別途、コネクタ装置を主配線基板に固定するための部材（ホールドダウン部材）を備えることが必要とされ、そのことが、コネクタ装置の全体の小型化に対する障害と構成部材数の増加とをまねき、製造コストを嵩ませる要因となる。
【００１７】
斯かる点に鑑み、本願の特許請求の範囲に記載された発明は、フレキシブル印刷配線基板やフレキシブル平板状ケーブル等とされる配線板状部材の他の配線基板との電気的連結に用いられる、板状部材差込み部が設けられて他の配線基板に配されるハウジングと、ハウジングに配列配置されて設けられる複数のコンタクトと、ハウジングを部分的に覆う導電性シェルとを備えたコネクタ装置であって、全体の小型化を図ることができるとともに構成部材数を低減することができる構造をもって、ハウジングに差し込まれた配線板状部材を、ハウジングからの不所望な抜脱が確実に阻止される係止状態、及び、その係止状態から解放されてハウジングからの意図的な抜脱が可能とされる状態に選択的におくことができ、しかも、配線板状部材を係止状態から解放された状態におくための操作が極めて簡単とされることになるものを提供する。
【課題を解決するための手段】
【００１８】
本願の特許請求の範囲における請求項１から請求項４までのいずれかに記載された発明（以下、本発明という。）に係るコネクタ装置は、相互対向側端部の一方側において開口する板状部材差込み部が設けられて配線基板に配されるハウジングと、各々がハウジングの内部に配される接触部とハウジングにおける相互対向側端部の他方側からハウジングの外部に導出される接続部とを有して配列配置され、配線板状部材が板状部材差込み部を通じてハウジングに差し込まれたとき、複数の接触部がハウジングに差し込まれた配線板状部材における複数の接続端子部に夫々接触接続される複数のコンタクトと、ハウジングを部分的に覆い、ハウジングに差し込まれた配線板状部材に係合してその配線板状部材に対する係止状態をとる係止部，係止部の係止状態を解除すべく操作される係止解除部、及び、係止解除部と係止部とを連結する連結部が一体的に形成された導電性シェルとを備えて成り、係止解除部が、導電性シェルにおける板状部材差込み部を挟んで対向するハウジングの相互対向平板状部の一方における一端部に対応する部分から、ハウジングの相互対向側端部の一方の外部へと伸び、連結部が、係止解除部から屈曲して複数のコンタクトの配列方向に直交する方向においてハウジングの相互対向平板状部の他方側へと伸び、係止部が、連結部から屈曲してハウジングの外部からハウジングの内部へと伸びる片持支持部分とその片持支持部分におけるハウジングの内部に位置する端部に設けられた係合突起部分とを有し、係止解除部，連結部及び係止部が、全体として導電性シェルに設けられてハウジングの相互対向側端部の一方の外方へと突出する折返し突出部を形成しており、係止部及び係止解除部の夫々が弾性を有した可動部分を成していて、係合突起部分が、板状部材差込み部を通じてハウジングに差し込まれる配線板状部材における係合部に係合するものとされ、片持支持部分が、連結部との相互連結部分を揺動中心として揺動し得るものとされ、係止解除部が、係止部に向かう方向の押圧操作が加えられるとき、導電性シェルとの相互連結部分を揺動中心として揺動するものとされる。
【００１９】
上述のような本発明に係るコネクタ装置にあっては、複数の接続端子部が設けられた配線板状部材が板状部材差込み部を通じてハウジングに差し込まれると、それにより、ハウジングに配列配置された複数のコンタクトの各々が備える複数の接触部が、ハウジングに差し込まれた配線板状部材における複数の接続端子部に夫々接触接続されるとともに、導電性シェルに一体的に形成された係止部が、ハウジングに差し込まれた配線板状部材との係合状態におかれて、当該配線板状部材に対する係止状態をとる。その結果、ハウジングに差し込まれた配線板状部材が、係止部により係止されてハウジングからの不所望な抜脱が阻止される状態におかれ、ハウジングに配列配置された複数のコンタクトの各々が備える複数の接触部が、当該配線板状部材における複数の接続端子部に夫々接触接続された状態が安定に維持される。
【００２０】
その後、係止部と共に導電性シェルに一体的に形成された係止解除部に、係止部の係止状態を解除するための操作、例えば、係止解除部を係止部に向けて変位させる押圧操作が加えられると、変位する係止解除部が、連結部を介して係止部を変位させ、係止部にハウジングに差し込まれた配線板状部材との係合を解除する状態をとらせる。それにより、係止部がハウジングに差し込まれた配線板状部材に対する係止状態を解除し、ハウジングから配線板状部材を意図的に抜脱させることができる状態が得られる。
【００２１】
このような本発明に係るコネクタ装置における各部の機能あるいは役割は、より具体的には、例えば、次のように果たされる。
【００２２】
本発明に係るコネクタ装置にあっては、係止解除部，連結部及び係止部が、全体として導電性シェルに設けられてハウジングの相互対向側端部の一方の外方へと突出する折返し突出部を形成しているもとにおいて、係止部及び係止解除部が、夫々が弾性を有した可動部分を成すものとされ、それに加えて、係止部が有する係合突起部分が、板状部材差込み部を通じてハウジングに差し込まれる配線板状部材における係合部に係合するものとされ、また、係止部が有する片持支持部分が、連結部との相互連結部分を揺動中心として揺動し得るものとされ、さらに、係止解除部が、係止部に向かう方向の押圧操作が加えられるとき、導電性シェルとの相互連結部分を揺動中心として揺動するものとされる。それにより、例えば、係止解除部に係止部に向かう方向の押圧操作が加えられるとき、導電性シェルにおいて係止解除部，連結部及び係止部により形成される折返し突出部の全体が容易に歪み変形を生じ、係止解除部が導電性シェルとの相互連結部分を揺動中心として揺動するとともに、係止部が有する片持支持部分が連結部との相互連結部分を揺動中心として揺動して、係止部が有する係合突起部分が、板状部材差込み部を通じてハウジングに差し込まれた配線板状部材における係合部との係合を解除する。また、係止解除部に係止部に向かう方向の押圧操作が加えられなくなると、係止部及び係止解除部の夫々の弾性により、導電性シェルにおいて係止解除部，連結部及び係止部により形成される折返し突出部が、全体的に元の位置へと復元変位する。
【００２３】
斯かる際、係止部が、例えば、本願の特許請求の範囲における請求項２に記載されたもののように、係止解除部に押圧操作が加えられていないとき、片持支持部分をハウジングに設けられた位置規制部に接触させて位置決めされ、係止解除部に押圧操作が加えられるとき、片持支持部分をハウジングに設けられた当接部に当接させて、片持支持部分の端部に設けられた係合突起部分を導電性シェルにおける係止解除部との連結部分に近接する方向に移動させる。そして、係止部は、例えば、本願の特許請求の範囲における請求項３に記載されたもののように、片持支持部分をハウジングに設けられた位置規制部に接触させて位置決めされるとき、片持支持部分の端部に設けられた係合突起部分をハウジングに設けられた板状部材差込み部内に位置させ、片持支持部分をハウジングに設けられた当接部に当接させて、片持支持部分の端部に設けられた係合突起部分を導電性シェルにおける係止解除部との連結部分に近接する方向に移動させるとき、その係合突起部分をハウジングに設けられた板状部材差込み部内から退去させる。
【００２４】
それにより、係止部は、係止解除部に押圧操作が加えられていないもとで、片持支持部分をハウジングに設けられた位置規制部に接触させて位置決めされているとき、片持支持部分の端部に設けられた係合突起部分に板状部材差込み部を通じてハウジングに差し込まれた配線板状部材における係合部との係合状態をとらせ、また、係止解除部に押圧操作が加えられて、片持支持部分をハウジングに設けられた当接部に当接させて、片持支持部分の端部に設けられた係合突起部分を導電性シェルにおける係止解除部との連結部分に近接する方向に移動させるとき、係合突起部分を板状部材差込み部を通じてハウジングに差し込まれた配線板状部材における係合部との係合状態から解放する。
【００２５】
なお、ハウジングの外部に配される係止解除部は、配線板状部材がハウジングに差し込まれたもとで、係止部が配線板状部材に係合してその配線板状部材に対する係止状態をとるときと、係止部が配線板状部材に係合せず配線板状部材に対する係止状態をとらないときとで、異なった位置をとることになる。
【００２６】
そして、本発明に係るコネクタ装置の一例にあっては、本願の特許請求の範囲における請求項４に記載されたもののように、係止部，係止解除部及び連結部の組が、導電性シェルにおけるハウジングの相互対向平板状部の一方における両端部に夫々対応する二カ所に一体的に形成される。
【発明の効果】
【００２７】
本発明に係るコネクタ装置においては、上述のように、フレキシブル印刷配線基板やフレキシブル平板状ケーブル等とされる配線板状部材が、板状部材差込み部を通じてハウジングに差し込まれたとき、ハウジングに配列配置された複数のコンタクトの各々が備える複数の接触部が、ハウジングに差し込まれた配線板状部材における複数の接続端子部に夫々接触接続され、それとともに、導電性シェルに一体的に形成された係止部が、ハウジングに差し込まれた配線板状部材に係合して、当該配線板状部材に対する係止状態をとる。その結果、ハウジングに差し込まれた配線板状部材を、係止部により係止されてハウジングからの不所望な抜脱が阻止される状態におくことができ、ハウジングに配列配置された複数のコンタクトが、ハウジングに差し込まれた配線板状部材における複数の接続端子部に夫々電気的に接続された状態を安定に維持することができる。
【００２８】
また、ハウジングに差し込まれた配線板状部材が係止部により係止された状態におかれたもとで、係止部と共に導電性シェルに一体的に形成された係止解除部に、係止部の係止状態を解除するための押圧操作が加えられると、それにより変位する係止解除部が、連結部を介して係止部を変位させ、係止部にハウジングに差し込まれた配線板状部材との係合を解除させる。その結果、ハウジングに差し込まれた配線板状部材を、係止部による係止状態から解放して、ハウジングから意図的に抜脱することができる状態におくことができる。
【００２９】
従って、本発明に係るコネクタ装置によれば、係止部及び係止解除部とそれらを連結する連結部とが導電性シェルに一体的に形成された、全体の小型化を図ることができるとともに構成部材数を低減することができる構造をもって、ハウジングに差し込まれた配線板状部材を、ハウジングからの不所望な抜脱が確実に阻止される係止状態、及び、その係止状態から解放されてハウジングからの意図的な抜脱が可能とされる状態に選択的におくことができる。
【００３０】
さらに、導電性シェルに一体的に形成された係止解除部，連結部及び係止部が、全体としてハウジングの相互対向側端部の一方の外方へと突出する折返し突出部を形成するものとされていることにより、係止解除部にハウジングの外部において直接的に押圧操作を確実に加えることができ、また、係止解除部に加える押圧操作により係止解除部を比較的小規模に変位させることによって、連結部を介して係止部を比較的大規模に変位させることができることになり、係止解除部，連結部及び係止部の全体を小型化できるものとしたもとで、ハウジングに差し込まれた配線板状部材に対する係止部による係止状態を確実に解除することができる。
【００３１】
しかも、係止部による配線板状部材に対する係止状態を解除するために係止解除部に加えられるべき操作は、ハウジングの外部における押圧操作とされることで足りるので、配線板状部材を係止部による係止状態から解放された状態におくための操作が極めて簡単とされることになる。
【図面の簡単な説明】
【００３２】
【図１】本発明に係るコネクタ装置の一例を示す正面側から見た斜視図である。
【図２】本発明に係るコネクタ装置の一例を示す背面側から見た斜視図である。
【図３】本発明に係るコネクタ装置の一例を示す平面図である。
【図４】本発明に係るコネクタ装置の一例を示す正面図である。
【図５】本発明に係るコネクタ装置の一例を示す底面図である。
【図６】図４におけるVI−VI線断面を示す断面図である。
【図７】本発明に係るコネクタ装置の一例に備えられる導電性シェルを示す正面側から見た斜視図である。
【図８】本発明に係るコネクタ装置の一例に備えられる導電性シェルを示す背面側から見た斜視図である。
【図９】本発明に係るコネクタ装置の一例に備えられる導電性シェルの端部を示す一部破断部分斜視図である。
【図１０】本発明に係るコネクタ装置の一例に備えられる係止部，連結部及び係止解除部の説明に供される一部破断部分斜視図である。
【図１１】本発明に係るコネクタ装置の一例に備えられる係止部，連結部及び係止解除部の説明に供される一部破断部分斜視図である。
【図１２】本発明に係るコネクタ装置の一例に差し込まれるフレキシブル印刷配線基板を示す斜視図である。
【図１３】本発明に係るコネクタ装置の一例にフレキシブル印刷配線基板が差し込まれた状態を示す斜視図である。
【図１４】本発明に係るコネクタ装置の一例にフレキシブル印刷配線基板が差し込まれる直前の状態を示す部分断面図である。
【図１５】本発明に係るコネクタ装置の一例に対してフレキシブル印刷配線基板が差し込み途中にある状態を示す部分断面図である。
【図１６】本発明に係るコネクタ装置の一例に対するフレキシブル印刷配線基板の差込みが完了し、フレキシブル印刷配線基板が係止部により係止された状態を示す部分断面図である。
【図１７】本発明に係るコネクタ装置の一例に備えられた係止解除部が係止部にフレキシブル印刷配線基板に対する係止を解除させた状態を示す部分断面図である。
【図１８】本発明に係るコネクタ装置の他の例の説明に供される部分断面図である。
【図１９】本発明に係るコネクタ装置の他の例の説明に供される部分断面図である。
【発明を実施するための形態】
【００３３】
本発明を実施するための形態は、以下に述べられる本発明についての実施例をもって説明される。
【実施例１】
【００３４】
図１（正面側から見た斜視図），図２（背面側から見た斜視図），図３（平面図），図４（正面図）及び図５（底面図）は、本発明に係るコネクタ装置の一例を示す。
【００３５】
図１〜図５には、本発明に係るコネクタ装置の一例を成すコネクタ装置１０が示されており、図４は、コネクタ装置１０の正面を示している。以下においては、図４に示されるコネクタ装置１０の正面に向かって上側, 下側、左側及び右側を、夫々、上，下，左及び右、あるいは、上方、下方、左方、右方とする。
【００３６】
図１〜図５に示されるコネクタ装置１０は、合成樹脂等の絶縁材料によって形成されたハウジング１１を備えており、ハウジング１１は、相互対向側端部を成す正面側端部１１ａ及び背面側端部１１ｂと、相互対向平板状部を成す上方に配された天板部１１ｃ及び下方に配された底板部１１ｄとを有している。そして、図１及び図４に示されるように、ハウジング１１には、その正面側端部１１ａにおいて開口する板状部材差込み部１２が、正面側端部１１ａからハウジング１１の内部を背面側端部１１ｂに向かって広がるものとされて設けられている。従って、ハウジング１１の天板部１１ｃ及び底板部１１ｄは、上下方向において、板状部材差込み部１２を挟んで対向するものとなっている。
【００３７】
ハウジング１１は、例えば、図示されていない配線基板に、底板部１１ｄを対接させて配され、それにより、コネクタ装置１０の全体が当該配線基板に取り付けられたものとされる。そして、板状部材差込み部１２を通じて、例えば、後述されるフレキシブル印刷配線基板が、配線板状部材を成すものとして、ハウジング１１に差し込まれる。
【００３８】
ハウジング１１には、各々が弾性導電材料で形成された複数のコンタクト１３が、ハウジング１１の長手方向（左右方向）に沿って配列配置されて設けられている。複数のコンタクト１３の夫々は、図４及び図４におけるVI−VI線断面を示す図６に示されるように、ハウジング１１内に配される接触部１３ａと、図２及び図６に示されるように、ハウジング１１の背面側端部１１ｂからその外部に導出される接続部１３ｂとを有している。そして、接触部１３ａは、ハウジング１１に板状部材差込み部１２を通じて差し込まれた配線板状部材を成すフレキシブル印刷配線基板における接続端子部に、ハウジング１１における底板部１１ｄに対向する天板部１１ｃ側から当接して接触接続され、また、接続部１３ｂは、ハウジング１１が配された配線基板に設けられた信号端子部に、例えば、半田付けによって接続される。それにより、ハウジング１１に差し込まれたフレキシブル印刷配線基板における複数の接続端子部が、複数のコンタクト１３を介して、ハウジング１１が配された配線基板に設けられた信号端子部に連結される。
【００３９】
また、コネクタ装置１０は、ハウジング１１の外面部分を部分的に覆う導電性シェル１４を備えている。具体的には、導電性シェル１４によって、ハウジング１１における、正面側端部１１ａにおける板状部材差込み部１２が開口する部分及びその周囲部分を除いた部分，背面側端部１１ｂの左右方向の両端部分、天板部１１ｃの大部分、底板部１１ｄの一部分、左側端部の大部分及び右側端部の大部分の夫々の外面部分が覆われている。この導電性シェル１４は、弾性を有した金属板が加工成形されて構成されており、複数のコンタクト１３についての特性インピーダンス調整に貢献するため、さらには、コネクタ装置１０についての外部からの電磁波ノイズ対策のため、即ち、コネクタ装置１０における外部からの電磁波ノイズに対するシールド効果を得るためのものとして、備えられている。
【００４０】
コネクタ装置１０に備えられる導電性シェル１４は、図７（正面側から見た斜視図）及び図８（背面側から見た斜視図）に示されるように、ハウジング１１の天板部１１ｃの大部分を覆う上方部分１５，ハウジング１１の底板部１１ｄの一部分を覆う下方部分１６，ハウジング１１の左側端部の大部分を覆う左側面部分１７、及び、ハウジング１１の右側端部の大部分を覆う右側面部分１８を有しており、コネクタ装置１０の正面側に配されることになる正面部分１９は開口部を形成している。下方部分１６には、図８に示されるように、その背面側端縁部から導電性シェル１４の内側に屈曲して正面部分１９側へと伸びる接地用コンタクト２０が、複数個設けられている。これら複数の接地用コンタクト２０の夫々は、ハウジング１１に板状部材差込み部１２を通じて差し込まれたフレキシブル印刷配線基板における接地接続部に、下方部分１６側から当接して接触接続される。また、下方部分１６における左側面部分１７に近接した部分及び右側面部分１８に近接した部分には、基板接続部２１及び２２が下方部分１６から背面側外方に突出するものとして夫々設けられており、さらに、左側面部分１７及び右側面部分１８には、それらから外方に突出する基板接続部２３及び２４が夫々設けられている。これらの基板接続部２１〜２４の夫々は、ハウジング１１が配された配線基板に設けられた接地端子部に、例えば、半田付けされて接続される。
【００４１】
上述のような複数の接地用コンタクト２０及び基板接続部２１〜２４が設けられていることにより、ハウジング１１に板状部材差込み部１２を通じて差し込まれたフレキシブル印刷配線基板における接地接続部が、接地用コンタクト２０及び基板接続部２１〜２４が形成された導電性シェル１４を介して、ハウジング１１が配された配線基板に設けられた接地端子部に連結される。その際、基板接続部２１〜２４は、導電性シェル１４に配線基板からの接地電位を与える役割を果たすとともに、コネクタ装置１０の配線基板への取り付けに使用される。
【００４２】
また、導電性シェル１４には、図７，図８及び図９に明瞭に示されるように、ハウジング１１の天板部１１ｃの左側端部に対応する部分となる、その上方部分１５における左側面部分１７側の端部１５ａから、ハウジング１１の正面側端部１１ａの外方となる、導電性シェル１４の正面部分１９の外方へと伸びる係止解除部２５，係止解除部２５から屈曲して、複数のコンタクト１３の配列方向に直交する方向においてハウジング１１の底板部１１ｄ側へと伸びることになる、下方へと伸びる連結部２６、及び、連結部２６から屈曲してハウジング１１内へと伸びることになる、その正面部分１９側へと伸びる片持支持部分２７と片持支持部分２７の端部に設けられた係合突起部分２８とを有した係止部２９が、一体的に形成されている。これらの係止解除部２５，連結部２６及び係止部２９は、全体として、帯状の板状部材が折返し成形されて形成されて、導電性シェル１４の上方部分１５における端部１５ａから正面部分１９の外方、即ち、ハウジング１１の正面側端部１１ａの外方へと突出する、導電性シェル１４に設けられた折返し突出部を成すものとされている。
【００４３】
さらに、導電性シェル１４には、図７及び図８に明瞭に示されるように、その上方部分１５における右側面部分１８側の端部１５ｂから、ハウジング１１の正面側端部１１ａの外方となる、導電性シェル１４の正面部分１９の外方へと伸びる係止解除部３０，係止解除部３０から屈曲して下方へと伸びる連結部３１、及び、連結部３１から屈曲して正面部１９側へと伸びる片持支持部分３２と片持支持部分３２の端部に設けられた係合突起部分３３とを有した係止部３４が、一体的に形成されている。これらの係止解除部３０，連結部３１及び係止部３４は、全体として、帯状の板状部材が折返し成形されて形成され、導電性シェル１４の上方部分１５における端部１５ｂから正面部分１９の外方、即ち、ハウジング１１の正面側端部１１ａの外方へと突出する、導電性シェル１４に設けられた折返し突出部を成すものとされている。
【００４４】
係止部２９及び３４の夫々は、ハウジング１１に板状部材差込み部１２を通じて差し込まれたフレキシブル印刷配線基板に係合して当該フレキシブル印刷配線基板に対する係止状態をとるものとして設けられており、係止解除部２５及び３０の夫々は、係止部２９及び３４の夫々のフレキシブル印刷配線基板に対する係止状態を解除すべく、例えば、係止部２９及び３４に向かう向きの押圧力が作用せしめられる押圧操作、即ち、係止部２９及び３４に向かう方向の押圧操作が加えられるものとして設けられている。また、連結部２６は、係止解除部２５と係止部２９とを連結するものとして設けられており、連結部３１は、係止解除部３０と係止部３４とを連結するものとして設けられている。
【００４５】
係止部２９のフレキシブル印刷配線基板に対する係止状態は、係止部２９が有する係合突起部分２８が、ハウジング１１に板状部材差込み部１２を通じて差し込まれるフレキシブル印刷配線基板における係合部に係合することにより得られ、また、係止部３４のフレキシブル印刷配線基板に対する係止状態も、係止部３４が有する係合突起部分３３が、ハウジング１１に板状部材差込み部１２を通じて差し込まれるフレキシブル印刷配線基板における係合部に係合することにより得られる。
【００４６】
係止解除部２５及び３０及び係止部２９及び３４の夫々は、導電性シェル１４が弾性を有した金属板が加工成形されて構成されていることに基づき、弾性を有した可動部分を成している。そして、係止部２９が有する片持支持部分２７が、連結部２６との相互連結部分を揺動中心として揺動し得るものとされており、同様に、係止部３４が有する片持支持部分３２が、連結部３１との相互連結部分を揺動中心として揺動し得るものとされている。また、係止解除部２５は、導電性シェル１４の上方部分１５における端部１５ａとの相互連結部分を揺動中心として揺動し得るものとされており、同様に、係止解除部３０は、導電性シェル１４の上方部分１５における端部１５ｂとの相互連結部分を揺動中心として揺動し得るものとされている。
【００４７】
図６及びコネクタ装置１０における左方端部を部分的に破断して示す図１０に示されるように、係止部２９は、係止解除部２５に押圧操作が加えられていないとき、その片持支持部分２７をハウジング１１に設けられた位置規制部４０に接触させて位置決めされ、その係合突起部分２８をハウジング１１に設けられた板状部材差込み部１２内に位置させる。このようにして、係止部２９がその係合突起部分２８をハウジング１１に設けられた板状部材差込み部１２内に位置させたもとで、フレキシブル印刷配線基板が板状部材差込み部１２を通じてハウジング１１に差し込まれると、係止部２９が有する係合突起部分２８がフレキシブル印刷配線基板における係合部に係合し、それにより、係止部２９がフレキシブル印刷配線基板に対する係止状態をとる。
【００４８】
また、コネクタ装置１０における左方端部を部分的に破断して示す図１１に示されるように、係止解除部２５に、図１１において矢印Ｆをもってあらわされる、係止部２９に向かう方向の押圧操作が加えられるとき、係止解除部２５は、導電性シェル１４の上方部分１５における端部１５ａとの相互連結部分を揺動中心として揺動し、それに伴って、係止部２９が、その片持支持部分２７をハウジング１１に設けられた当接部４１に当接させたもとで、連結部２６との相互連結部分を揺動中心として揺動して、係合突起部分２８を、導電性シェル１４の上方部分１５における端部１５ａと係止解除部２５との相互連結部分に近接する方向に移動させ、ハウジング１１に設けられた板状部材差込み部１２内から退去させる。このようにして、係止部２９が係合突起部分２８をハウジング１１に設けられた板状部材差込み部１２内から退去させるもとにあっては、係合突起部分２８とハウジング１１に板状部材差込み部１２を通じて差し込まれたフレキシブル印刷配線基板における係合部との係合状態はとられない。従って、係止部２９がフレキシブル印刷配線基板に対する係止状態をとるもとで、係止解除部２５に係止部２９に向かう方向の押圧操作が加えられるときには、係止部２９のフレキシブル印刷配線基板に対する係止状態が解除されることになる。
【００４９】
係止部２９と同様に、係止部３４も、係止解除部３０に押圧操作が加えられていないとき、その片持支持部分３２をハウジング１１に設けられた位置規制部に接触させて位置決めされ、その係合突起部分３３をハウジング１１に設けられた板状部材差込み部１２内に位置させる。このようにして、係止部３４がその係合突起部分３３をハウジング１１に設けられた板状部材差込み部１２内に位置させたもとで、フレキシブル印刷配線基板が板状部材差込み部１２を通じてハウジング１１に差し込まれると、係止部３４が有する係合突起部分３３がフレキシブル印刷配線基板における係合部に係合し、それにより、係止部３４がフレキシブル印刷配線基板に対する係止状態をとる。
【００５０】
また、係止解除部３０に、係止部３４に向かう方向の押圧操作が加えられるとき、係止解除部３０は、導電性シェル１４の上方部分１５における端部１５ｂとの相互連結部分を揺動中心として揺動し、それに伴って、係止部３４が、その片持支持部分３２をハウジング１１に設けられた当接部に当接させたもとで、連結部３１との相互連結部分を揺動中心として揺動して、係合突起部分３３を、導電性シェル１４の上方部分１５における端部１５ｂと係止解除部３０との相互連結部分に近接する方向に移動させ、ハウジング１１に設けられた板状部材差込み部１２内から退去させる。このようにして、係止部３４が係合突起部分３３をハウジング１１に設けられた板状部材差込み部１２内から退去させるもとにあっては、係合突起部分３３とハウジング１１に板状部材差込み部１２を通じて差し込まれたフレキシブル印刷配線基板における係合部との係合状態はとられない。従って、係止部３４がフレキシブル印刷配線基板に対する係止状態をとるもとで、係止解除部３０に係止部３４に向かう方向の押圧操作が加えられるときには、係止部３４のフレキシブル印刷配線基板に対する係止状態が解除されることになる。
【００５１】
図１２は、コネクタ装置１０におけるハウジング１１に板状部材差込み部１２を通じて差し込まれる、配線板状部材を成すフレキシブル印刷配線基板の一例であるフレキシブル印刷配線基板５０を示す。
【００５２】
図１２に示されるフレキシブル印刷配線基板５０における一対の相互対向面の一方には、その一端部に各々が短冊状に形成された複数の接続端子部５１が配列配置されて設けられており、また、図示が省略されているが、一対の相互対向面の他方には、平板状の接地接続部が設けられている。さらに、フレキシブル印刷配線基板５０には、配列配置された複数の接続端子部５１を挟んで相互対向する一対の側縁部に切欠き係合部５３及び５４が夫々形成されており、フレキシブル印刷配線基板５０における切欠き係合部５３より先端側となる部分が端縁部５５とされるとともに、フレキシブル印刷配線基板５０における切欠き係合部５４より先端側となる部分が端縁部５６とされている。そして、フレキシブル印刷配線基板５０においては、複数の接続端子部５１及び接地接続部が設けられた部分と一対の切欠き係合部５３及び５４が形成された部分と端縁部５５及び５６とを残して、それら以外の部分がカバーフィルム５７によって覆われている。
【００５３】
図１３は、図１２に示されるフレキシブル印刷配線基板５０が、コネクタ装置１０におけるハウジング１１に板状部材差込み部１２を通じて差し込まれた状態を示す。ハウジング１１に差し込まれるフレキシブル印刷配線基板５０は、配列配置された複数の接続端子部５１が設けられた板面が、上方に向けられたもの、即ち、導電性シェル１４の上方部分１５側に向けられたものとされる。そして、コネクタ装置１０における斯かるフレキシブル印刷配線基板５０のハウジング１１への差込みが適正に行われるときには、フレキシブル印刷配線基板５０における複数の接続端子部５１が配列配置された部分の先端縁部が、ハウジング１１の背面側端部１１b と平行になるようにされる。
【００５４】
図１３に示されるようにフレキシブル印刷配線基板５０がハウジング１１に差し込まれた状態がとられるにあたっては、先ず、図１４に示されるように、コネクタ装置１０がそれにおける係止解除部２５に押圧操作が加えられていない状態に置かれたもとで、そのコネクタ装置１０に対して、フレキシブル印刷配線基板５０が、複数の接続端子部５１が配列配置された部分の先端縁部を、コネクタ装置１０におけるハウジング１１の正面側端部１１ａに開口する板状部材差込み部１２に対向させて配される。このとき、フレキシブル印刷配線基板５０における端縁部５５及び切欠き係合部５３がコネクタ装置１０における係止部２９に対応する位置をとるものとされ、また、図示が省略されているが、フレキシブル印刷配線基板５０における端縁部５６及び切欠き係合部５４がコネクタ装置１０における係止部３４に対応する位置をとるものとされる。
【００５５】
次に、図１５に示されるように、フレキシブル印刷配線基板５０が、複数の接続端子部５１が配列配置された部分の先端縁部を先頭にするとともに、複数の接続端子部５１が設けられた板面を上方に向けて、板状部材差込み部１２を通じてハウジング１１内へと差し込まれる。その際、フレキシブル印刷配線基板５０における、その側端部に形成された切欠き係合部５３より先端側となる端縁部５５が、コネクタ装置１０における係止部２９が有する係合突起部分２８に当接して、係合突起部分２８を導電性シェル１４の上方部分１５における端部１５ａに近接する方向へと移動させる。それにより、係止部２９が有する片持支持部分２７が、連結部２６との相互連結部分を揺動中心として揺動し、係合突起部分２８をハウジング１１に設けられた板状部材差込み部１２内から退去させる。その結果、係止部２９が有する係合突起部分２８が、ハウジング１１に対するフレキシブル印刷配線基板５０の差込みを妨げない状態をとる。
【００５６】
それとともに、図示は省略されているが、フレキシブル印刷配線基板５０における、その側端部に形成された切欠き係合部５４より先端側となる端縁部５６が、コネクタ装置１０における係止部３４が有する係合突起部分３３に当接して、係合突起部分３３を導電性シェル１４の上方部分１５における端部１５ｂに近接する方向へと移動させる。それにより、係止部３４が有する片持支持部分３２が、連結部３１との相互連結部分を揺動中心として揺動し、係合突起部分３３をハウジング１１に設けられた板状部材差込み部１２内から退去させる。その結果、係止部３４が有する係合突起部分３３が、ハウジング１１に対するフレキシブル印刷配線基板５０の差込みを妨げない状態をとる。
【００５７】
続いて、フレキシブル印刷配線基板５０が更にハウジング１１内へと差し込まれ、ハウジング１１内における予め設定された所定の位置に到達すると、フレキシブル印刷配線基板５０のハウジング１１に対する差込みが完了する。その際には、図１６に示されるように、係止部２９が有する係合突起部分２８が、フレキシブル印刷配線基板５０における端縁部５５から外れて、フレキシブル印刷配線基板５０における切欠き係合部５３に係合し、また、図示は省略されているが、係止部３４が有する係合突起部分３３が、フレキシブル印刷配線基板５０における端縁部５６から外れて、フレキシブル印刷配線基板５０における切欠き係合部５４に係合する。
【００５８】
このとき、係止部２９が有する片持支持部分２７は、自らが具える弾性によって、連結部２６との相互連結部分を揺動中心とする復元揺動を行い、係止部２９が有する係合突起部分２８をフレキシブル印刷配線基板５０における切欠き係合部５３に係合させる。同様に、係止部３４が有する片持支持部分３２も、自らが具える弾性によって、連結部３１との相互連結部分を揺動中心とする復元揺動を行い、係止部３４が有する係合突起部分３３をフレキシブル印刷配線基板５０における切欠き係合部５４に係合させる。
【００５９】
その結果、係止部２９及び３４の夫々が、ハウジング１１に板状部材差込み部１２を通じて差込まれたフレキシブル印刷配線基板５０に係合して、そのフレキシブル印刷配線基板５０を係止し、それにより、フレキシブル印刷配線基板５０のハウジング１１からの不所望な抜脱が阻止される状態が得られる。
【００６０】
このようにして、ハウジング１１に板状部材差込み部１２を通じて差し込まれたフレキシブル印刷配線基板５０が、係止部２９及び３４による係止状態におかれたもとにあっては、ハウジング１１に配列配置された複数のコンタクト１３の夫々における接触部１３ａが、ハウジング１１内において、複数の接続端子部５１が設けられた板面が上方に向けられてハウジング１１に差し込まれたフレキシブル印刷配線基板５０における複数の接続端子部５１のうちの対応するものに、導電性シェル１４の上方部分１５側から当接して接触接続される。それにより、ハウジング１１に差し込まれたフレキシブル印刷配線基板５０における複数の接続端子部５１が、複数のコンタクト１３を介して、ハウジング１１が配された配線基板に設けられた信号端子部に連結される。
【００６１】
また、このとき、導電性シェル１４の下方部分１６から伸びてハウジング１１に設けられた板状部材差込み部１２内に位置するものとされた複数の接地用コンタクト２０が、ハウジング１１に板状部材差込み部１２を通じて差し込まれたフレキシブル印刷配線基板５０における接地接続部に、下方部分１６側から当接して接触接続される。それにより、ハウジング１１に差し込まれたフレキシブル印刷配線基板５０における接地接続部が、複数の接地用コンタクト２０を介して、ハウジング１１が配された配線基板に設けられた接地端子部に連結される。
【００６２】
その後、図１７に示されるように、係止解除部２５に、図１７において矢印Ｆをもってあらわされる、係止部２９に向かう方向の押圧操作が加えられると、係止解除部２５は、導電性シェル１４の上方部分１５における端部１５ａとの相互連結部分を揺動中心として揺動し、それに伴って、係止部２９が有する片持支持部分２７が、ハウジング１１に設けられた当接部４１に当接したもとで、連結部２６との相互連結部分を揺動中心として揺動して、係止部２９が有する係合突起部分２８を導電性シェル１４の上方部分１５における端部１５ａと係止解除部２５との相互連結部に近接する方向に移動させ、係合突起部分２８をハウジング１１に設けられた板状部材差込み部１２内から退去させる。それにより、係止部２９が有する係合突起部分２８が、ハウジング１１に板状部材差込み部１２を通じて差し込まれたフレキシブル印刷配線基板５０における切欠き係合部５３に係合しなくなり、係止部２９のフレキシブル印刷配線基板５０に対する係止状態が解除される。
【００６３】
同様に、係止解除部３０に、係止部３４に向かう方向の押圧操作が加えられると、係止解除部３０は、導電性シェル１４の上方部分１５における端部１５ｂとの相互連結部分を揺動中心として揺動し、それに伴って、係止部３４が有する片持支持部分３２が、ハウジング１１に設けられた当接部に当接したもとで、連結部３１との相互連結部分を揺動中心として揺動して、係止部３４が有する係合突起部分３３を導電性シェル１４の上方部分１５における端部１５ｂと係止解除部３０との相互連結部に近接する方向に移動させ、係合突起部分３３をハウジング１１に設けられた板状部材差込み部１２内から退去させる。それにより、係止部３４が有する係合突起部分３３が、ハウジング１１に板状部材差込み部１２を通じて差し込まれたフレキシブル印刷配線基板５０における切欠き係合部５４に係合しなくなり、係止部３４のフレキシブル印刷配線基板５０に対する係止状態が解除される。
【００６４】
このようにして、係止部２９及び３４の夫々のフレキシブル印刷配線基板５０に対する係止状態が解除されると、ハウジング１１に差し込まれたフレキシブル印刷配線基板５０をハウジング１１から意図的に抜脱させることができる状態が得られる。
【００６５】
上述のような本発明に係るコネクタ装置の一例を成すコネクタ装置１０によれば、配線板状部材を成すフレキシブル印刷配線基板５０が、ハウジング１１に板状部材差込み部１２を通じて差し込まれたとき、ハウジング１１に配列配置された複数のコンタクト１３の各々が備える複数の接触部１３ａが、ハウジング１１に差し込まれたフレキシブル印刷配線基板５０における複数の接続端子部５１に夫々接触接続され、それとともに、導電性シェル１４に一体的に形成された係止部２９及び３４が、ハウジング１１に差し込まれたフレキシブル印刷配線基板５０に係合して、当該フレキシブル印刷配線基板５０に対する係止状態をとる。その結果、ハウジング１１に差し込まれたフレキシブル印刷配線基板５０を、係止部２９及び３４により係止されてハウジング１１からの不所望な抜脱が阻止される状態におくことができ、ハウジング１１に配列配置された複数のコンタクト１３が、ハウジング１１に差し込まれたフレキシブル印刷配線基板５０における複数の接続端子部５１に夫々電気的に接続された状態を安定に維持することができる。
【００６６】
また、ハウジング１１に差し込まれたフレキシブル印刷配線基板５０が係止部２９及び３４による係止状態におかれたもとで、係止部２９及び３４と共に導電性シェル１４に一体的に形成された係止解除部２５及び３０に、係止部２９及び３４による係止状態を解除するための操作が加えられると、それにより変位する係止解除部２５及び３０が、連結部２６及び３１を介して係止部２９及び３４を変位させ、係止部２９及び３４にハウジング１１に差し込まれたフレキシブル印刷配線基板５０との係合を解除させる。その結果、ハウジング１１に差し込まれたフレキシブル印刷配線基板５０を、係止部２９及び３４による係止状態から解放して、ハウジング１１から意図的に抜脱することができる状態におくことができる。
【００６７】
従って、コネクタ装置１０によれば、係止部２９及び係止解除部２５とそれらを連結する連結部２６との組、及び、係止部３４及び係止解除部３０とそれらを連結する連結部３１との組が、導電性シェル１４に一体的に形成されて成る、全体の小型化を図ることができるとともに構成部材数を低減することができる構造をもって、ハウジング１１に差し込まれたフレキシブル印刷配線基板５０を、ハウジング１１からの不所望な抜脱が確実に阻止される係止状態、及び、その係止状態から解放されてハウジング１１からの意図的な抜脱が可能とされる状態に選択的におくことができる。
【００６８】
さらに、導電性シェル１４に一体的に形成された係止解除部２５，連結部２６及び係止部２９の組と係止解除部３０，連結部３１及び係止部３４の組との夫々が、全体として、帯状の板状部材が折返し成形されて形成され、導電性シェル１４の上方部分１５から正面部分１９の外方、即ち、ハウジング１１の正面側端部１１ａの外方へと突出する折返し突出部を成すものとされていることにより、係止解除部２５及び３０の夫々にハウジング１１の外部において直接的に押圧操作を確実に加えることができ、また、係止解除部２５及び３０の夫々に加える操作により係止解除部２５及び３０の夫々を比較的小規模に変位させることによって、連結部２６及び３１の夫々を介して、係止部２９が有する片持支持部分２７及び係合突起部分２８、及び、係止部３４が有する片持支持部分３２及び係合突起部分３３の夫々を比較的大規模に変位させることができることになり、係止解除部２５，連結部２６及び係止部２９の組の全体及び係止解除部３０，連結部３１及び係止部３４の組の全体を小型化できるものとしたもとで、ハウジング１１に差し込まれたフレキシブル印刷配線基板５０に対する係止部２９及び３４による係止状態を確実に解除することができる。
【００６９】
しかも、係止部２９及び３４によるフレキシブル印刷配線基板５０に対する係止状態を解除するために係止解除部２５及び３０に夫々加えられるべき操作は、ハウジング１１の外部における押圧操作とされることで足りるので、フレキシブル印刷配線基板５０を係止部２９及び３４による係止状態から解放された状態におくための操作が極めて簡単とされることになる。
【００７０】
なお、上述のコネクタ装置１０にあっては、コンタクト１３におけるフレキシブル印刷配線基板５０の接続端子部５１と接触する接触部１３ａが、導電性シェル１４における上方部分１５側からハウジング１１に設けられた板状部材差込み部１２内に突出するように配置されているため、フレキシブル印刷配線基板５０の接続端子部５１を上方に向けて板状部材差込み部１２へ挿入する構成としているが、コンタクト１３におけるフレキシブル印刷配線基板５０の接続端子部５１と接触する接触部１３ａを、導電性シェル１４における下方部分１６側からハウジング１１に設けられた板状部材差込み部１２内に突出するように配置して、フレキシブル印刷配線基板５０の接続端子部５１を下方に向けて板状部材差込み部１２へ挿入する構成としてもよい。また、上述のコネクタ装置１０では、導電性シェル１４に一体的に形成された係止解除部２５，連結部２６及び係止部２９の組と係止解除部３０，連結部３１及び係止部３４の組とをハウジング１１の正面側端部１１ａ側に配置し、係止部２９及び３４をハウジング１１の正面側端部１１ａ側からハウジング１１内に延出するものとしているが、係止解除部２５，連結部２６及び係止部２９の組と係止解除部３０，連結部３１及び係止部３４の組とをハウジング１１の背面側端部１１ｂ側に配置し、係止部２９及び３４をハウジング１１の背面側端部１１ｂ側からハウジング１１内に延出するものとしても良い。
【実施例２】
【００７１】
図１８は、本発明に係るコネクタ装置の他の例を成すコネクタ装置６０の部分を示す。
【００７２】
図１８に示されるコネクタ装置６０は、前述のコネクタ装置１０と同様に構成された部分を多々有しており、図１８にあっては、コネクタ装置６０におけるコネクタ装置１０の各部及び各部材に対応する部分及び部材が、コネクタ装置１０と共通の符号をもって示されており、それらについての重複説明は省略される。
【００７３】
図１８には、コネクタ装置６０における左方端部が部分的に破断されて示されている。コネクタ装置６０のハウジング１１には、その左側端部の近傍となる部分に、その正面側からその外方に突出して、係止解除部２５，連結部２６及び係止部２９が形成する折返し突出部の下方に位置するものとされるストッパ部６１が設けられている。このストッパ部６１と、折返し突出部を形成する係止部２９との間には、ハウジング１１に板状部材差込み部１２を通じて差し込まれたフレキシブル印刷配線基板５０が係止部２９による係止状態におかれたもとで、係止解除部２５に係止部２９による係止状態を解除するための係止部２９に向かう方向の押圧操作が加えられるとき、係止解除部２５及び係止部２９の必要とされる下方への変位を許すだけの間隔が設けられている。
【００７４】
図示は省略されているが、コネクタ装置６０のハウジング１１には、その右側端部の近傍となる部分にも、その正面側からその外方に突出して、係止解除部３０，連結部３１及び係止部３４が形成する折返し突出部の下方に位置するものとされるストッパ部が、ストッパ部６１に対応するものとして設けられている。このストッパ部と、折返し突出部を形成する係止部３４との間にも、ハウジング１１に板状部材差込み部１２を通じて差し込まれたフレキシブル印刷配線基板５０が係止部３４による係止状態におかれたもとで、係止解除部３０に係止部３４による係止状態を解除するための係止部３４に向かう方向の押圧操作が加えられるとき、係止解除部３０及び係止部３４の必要とされる下方への変位を許すだけの間隔が設けられている。
【００７５】
そして、図１９に示されるように、係止解除部２５に、図１９において矢印Ｆをもって示される係止部２９に向かう方向の押圧操作が加えられ、それにより、係止解除部２５が、導電性シェル１４の上方部分１５における端部１５ａとの相互連結部分を揺動中心として揺動して下方に変位し、それに伴って、係止部２９が有する片持支持部分２７が、ハウジング１１に設けられた当接部４１に当接したもとで、連結部２６との相互連結部分を揺動中心として揺動して変位し、係止部２９の全体が下方に変位する際には、係止解除部２５及び係止部２９が必要とされるだけの変位量をもって下方に変位したとき、連結部２６と係止部２９が有する片持支持部分２７との相互連結部分が、ストッパ部６１に当接して、係止解除部２５及び係止部２９のそれ以上の下方への変位を阻止する。
【００７６】
即ち、ストッパ部６１によって、係止解除部２５及び係止部２９の下方への過大な変位が阻止されるのであり、それにより、係止解除部２５，連結部２６及び係止部２９が形成する折返し突出部が破損する事態あるいは損傷を受ける事態が回避される。
【００７７】
同様に、図示はされていないが、係止解除部３０に係止部３４に向かう方向の押圧操作が加えられ、それにより、係止解除部３０が、導電性シェル１４の上方部分１５における端部１５ｂとの相互連結部分を揺動中心として揺動して下方に変位し、それに伴って、係止部３４が有する片持支持部分３２が、ハウジング１１に設けられた当接部に当接したもとで、連結部３１との相互連結部分を揺動中心として揺動して変位し、係止部３４の全体が下方に変位する際には、係止解除部３０及び係止部３４が必要とされるだけの変位量をもって下方に変位したとき、連結部３１と係止部３４が有する片持支持部分３２との相互連結部分が、ストッパ部に当接して、係止解除部３０及び係止部３４のそれ以上の下方への変位を阻止する。
【００７８】
即ち、ストッパ部によって、係止解除部３０及び係止部３４の下方への過大な変位が阻止されるのであり、それにより、係止解除部３０，連結部３１及び係止部３４が形成する折返し突出部が破損する事態あるいは損傷を受ける事態が回避される。
【００７９】
コネクタ装置６０のその他の部分は、前述のコネクタ装置１０と同様に構成されており、斯かるコネクタ装置６０によっても、コネクタ装置１０の場合と同様な作用効果が得られる。
【産業上の利用可能性】
【００８０】
以上のような本発明に係るコネクタ装置は、例えば、フレキシブル印刷配線基板等とされる配線板状部材の他の配線基板との電気的連結に用いられる、板状部材差込み部が設けられたハウジングと、ハウジング内に配列配置されて設けられる複数のコンタクトと、ハウジングを部分的に覆う導電性シェルとを備えたコネクタ装置であって、全体の小型化を図ることができるとともに構成部材数を低減することができる構造をもって、ハウジングに差し込まれた配線板状部材を、ハウジングからの不所望な抜脱が確実に阻止される係止状態、及び、その係止状態から解放されてハウジングからの意図的な抜脱が可能とされる状態に選択的におくことができ、しかも、配線板状部材を係止状態から解放された状態におくための操作が極めて簡単とされるものとして、様々な電子機器等に広く適用され得るものである。
【符号の説明】
【００８１】
１０，６０・・・コネクタ装置，  １１・・・ハウジング，  １１ａ・・・正面側端部，  １１ｂ・・・背面側端部，  １１ｃ・・・天板部，  １１ｄ・・・底板部，  １２・・・板状部材差込み部，  １３・・・コンタクト，  １４・・・導電性シェル，  １５・・・上方部分，  １６・・・下方部分，  １７・・・左側面部分，  １８・・・右側面部分，  １９・・・正面部分，  ２０・・・接地用コンタクト，  ２１，２２，２３，２４・・・基板接続部，  ２５，３０・・・係止解除部，  ２６，３１・・・連結部，  ２７，３２・・・片持支持部分，  ２８，３３・・・係合突起部分，  ２９，３４・・・係止部，  ４０・・・位置規制部，  ４１・・・当接部，  ５０・・・フレキシブル印刷配線基板，  ５１・・・接続端子部，  ５３，５４・・・切欠き係合部，  ５５，５６・・・端縁部，  ５７・・・カバーフィルム，  ６１・・・ストッパ部
【図１】
0005704319.tif 000002
【図２】
0005704319.tif 000003
【図３】
0005704319.tif 000004
【図４】
0005704319.tif 000005
【図５】
0005704319.tif 000006
【図６】
0005704319.tif 000007
【図７】
0005704319.tif 000008
【図８】
0005704319.tif 000009
【図９】
0005704319.tif 000010
【図１０】
0005704319.tif 000011
【図１１】
0005704319.tif 000012
【図１２】
0005704319.tif 000013
【図１３】
0005704319.tif 000014
【図１４】
0005704319.tif 000015
【図１５】
0005704319.tif 000016
【図１６】
0005704319.tif 000017
【図１７】
0005704319.tif 000018
【図１８】
0005704319.tif 000019
【図１９】
0005704319.tif 000020